(57)【特許請求の範囲】
【請求項１】
１つの土台（１）と、
前記土台（１）上に設けられ、第１の垂直軸周りに旋回し、ゴルフプレーヤーの第１の足が置かれる第１の載置部（６）であって、前記第１の足の前部分を支持する第１の支持部（１１）と、前記第１の足のかかとを支持し、水平軸周りに旋回可能な第２の支持部（１２）とを有する第１の載置部（６）と、
前記土台（１）上に配置され、前記第１の垂直軸を少なくとも部分的に包囲し、最も低い位置からせり上がる弓形形状を有し、前記第２の支持部（１２）を支持するガイド装置（２３）と、
ゴルフプレーヤーの第２の足が載置される第２の載置部（２５）と、
を備え、
前記第２の支持部（１２）は、旋回する際に、前記第２の支持部（１２）に置かれた前記第１の足のかかとを強制的に上げる
ことを特徴とするゴルフスイング時における動作手順を練習するための装置。
【請求項２】
前記第２の載置部（２５）が土台（１）とは別の部品であることを特徴とする請求項１記載の装置。
【請求項３】
前記第２の載置部（２５）が土台（１）の上において第２の垂直軸の周囲を旋回することができるように軸受けされていることを特徴とする請求項２記載の装置。
【請求項４】
前記載置部（６、２５）が機械的にあらかじめ設定された初期位置を有することを特徴とする請求項１〜３のいずれか１項に記載の装置。
【請求項５】
足の角度が０°〜３０°の範囲内に前記載置部（６、２５）が含まれていることを特徴とする請求項１〜４のいずれか１項に記載の装置。
【請求項６】
前記第１の載置部（６）を初期位置に戻す原因となる第１のばね（１８）が装備されていることを特徴とする請求項１〜５のいずれか１項に記載の装置。
【請求項７】
前記第１の垂直軸が前記第１の載置部（６）の前記第１の支持部（１１）の下方に配置されていることを特徴とする請求項１〜６のいずれか１項に記載の装置。
【請求項８】
旋回することができるように前記第１の載置部（６）を軸受けするために第１のジャーナル（１０）および第１のジャーナル（１０）を支持する第１のスリーブ（９）による第１の構造が考案され、前記第１のジャーナル（１０）または前記第１のスリーブ（９）が前記土台（１）に取り付けられ、前記第１のスリーブ（９）または前記第１のジャーナル（１０）が前記第１の載置部（６）の下側に取り付けられることを特徴とする請求項６または７記載の装置。
【請求項９】
前記第１のスリーブ（９）または前記第１のジャーナル（１０）に取り付けられたボルト（１７）が噛み合っており、初期位置から旋回する場合に前記第１の載置部（６）の前記第１の支持部（１１）が下方に動くように選択した傾斜が設けられている第１の溝（１４）が前記第１のジャーナル（１０）または前記第１のスリーブ（９）に設けられていることを特徴とする請求項８記載の装置。
【請求項１０】
第１の載置部（６）が旋回する際に第１のジャーナル（１０）が深く落ち込むことによって初期位置から前記第１のスリーブ（９）に深く押し込まれる圧縮ばね（１８）が前記第１のスリーブ（９）に配置されることを特徴とする請求項８または９記載の装置。
【請求項１１】
前記第１のジャーナル（１０）が中空であり、前記圧縮ばね（１８）が前記第１のジャーナル（１０）の中空部に伸びていることを特徴とする請求項１０記載の装置。
【請求項１２】
前記圧縮ばね（１８）がコイルばねまたは幾層もの皿ばねであることを特徴とする請求項１０または１１記載の装置。
【請求項１３】
前記第１の溝（１４）の傾斜が前記第１の載置部（６）において１度あたり０．０１ｃｍから１度あたり０．０２５ｃｍの旋回角度であることを特徴とする請求項９〜１２のいずれか１項に記載の装置。
【請求項１４】
前記第１の溝（１４）の傾斜が前記第１の載置部（６）において１度あたりおよそ０．０２ｃｍの旋回角度であることを特徴とする請求項１３記載の装置。
【請求項１５】
前記第１の載置部（６）に２つの第１の溝（１４）を相互に対置した傾斜が割り当てられ、第１の載置部（６）の旋回方向を決定するためにボルト（１７）が一方の溝（１４）または別の溝と噛み合っていることを特徴とする請求項９〜１４のいずれか１項に記載の装置。
【請求項１６】
１つの土台（１）と、
前記土台（１）上に設けられ、第１の垂直軸周りに旋回し、ゴルフプレーヤーの第１の足が置かれる第１の載置部（６）であって、前記第１の足の前部分を支持する第１の支持部（１１）と、前記第１の足のかかとを支持し、水平軸周りに旋回可能な第２の支持部（１２）とを有する第１の載置部（６）と、
前記土台（１）上に配置され、前記第１の垂直軸を少なくとも部分的に包囲し、最も低い位置からせり上がる弓形形状を有し、前記第２の支持部（１２）を支持するガイド装置（２３）と、
ゴルフプレーヤーの第２の足が載置される第２の載置部（２５）と、
を備え、
前記第２の支持部（１２）は、旋回する際に、前記第２の支持部（１２）に置かれた前記第１の足のかかとを強制的に上げ、
前記第２の載置部（２５）が土台（１）とは別の部品であり、
前記第２の載置部（２５）が土台（１）の上において第２の垂直軸の周囲を旋回することができるように軸受けされており、
前記第２の載置部（２５）を初期位置に戻す原因となる第２のばね（３０、３７）が装備されていることを特徴とする請求項４〜１５のいずれか１項に記載の装置。
【請求項１７】
前記第２のばね（３０）が前記第２の垂直軸を包囲しているねじればねであることを特徴とする請求項１６記載の装置。
【請求項１８】
前記第２のばね（３０）がコイルばねであることを特徴とする請求項１６または１７記載の装置。
【請求項１９】
１つの土台（１）と、
前記土台（１）上に設けられ、第１の垂直軸周りに旋回し、ゴルフプレーヤーの第１の足が置かれる第１の載置部（６）であって、前記第１の足の前部分を支持する第１の支持部（１１）と、前記第１の足のかかとを支持し、水平軸周りに旋回可能な第２の支持部（１２）とを有する第１の載置部（６）と、
前記土台（１）上に配置され、前記第１の垂直軸を少なくとも部分的に包囲し、最も低い位置からせり上がる弓形形状を有し、前記第２の支持部（１２）を支持するガイド装置（２３）と、
ゴルフプレーヤーの第２の足が載置される第２の載置部（２５）と、
を備え、
前記第２の支持部（１２）は、旋回する際に、前記第２の支持部（１２）に置かれた前記第１の足のかかとを強制的に上げ、
前記第２の載置部（２５）が土台（１）とは別の部品であり、
前記第２の載置部（２５）が土台（１）の上において第２の垂直軸の周囲を旋回することができるように軸受けされており、
前記第２の載置部（２５）を旋回することができるように軸受けするために第２のジャーナル（２８）および第２のジャーナル（２８）を支持する第２のスリーブ（２７）による第２の構造が考案され、前記第２のジャーナル（２８）または前記第２のスリーブ（２７）が前記土台（１）に取り付けられ、前記第２のスリーブ（２７）または前記第２のジャーナル（２８）が前記第２の載置部（２５）の下側に取り付けられることを特徴とする請求項４〜１８のいずれか１項に記載の装置。
【請求項２０】
前記第２のスリーブ（２７）または前記第２のジャーナル（２８）に取り付けられた第２のボルト（３３）が噛み合っており、水平に伸びているかまたは初期位置から旋回する場合に前記第２の載置部（２５）が下方に動く前記傾斜を有する第２の溝（３２）が前記第２のジャーナル（２８）または前記第２のスリーブ（２７）に設けられていることを特徴とする請求項１９記載の装置。
【請求項２１】
前記第２の溝（３２）の傾斜が前記第２の載置部（２５）において１度あたり０．００５ｃｍから１度あたり０．０１５ｃｍの旋回角度であることを特徴とする請求項２０記載の装置。
【請求項２２】
前記第２の溝（３２）の傾斜が前記第２の載置部（２５）において１度あたりおよそ０．０１ｃｍの旋回角度であることを特徴とする請求項２１記載の装置。
【請求項２３】
第２のばねが前記第２のスリーブ（２７）に差し込まれている第３のボルト（３６）に巻き上げ、基本的に放射状に伸びており、前記第２の溝（３２）との間隔をあけて好ましくは下方に配置されている復元ばね（３７）であり、一方の脚部（３７ａ）が第２のボルト（３３）に接しており、もう一方の脚部（３７ｂ）が前記第２のスリーブ（２７）に差し込まれている第４のボルト（３８）に接している２つの脚部（３７ａ、３７ｂ）を有し、この時前記第２の載置部（２５）を旋回する際に一方の方向に緊張し、前記第２の載置部（２５）を戻す際にもう一方の方向に弛緩するように復元ばね（３７）を配置することを特徴とする水平に伸びている前記第２の溝（３２）を備えた請求項２０記載の装置。
【請求項２４】
前記復元ばね（３７）の脚部（３７ａ、３７ｂ）が交差していることを特徴とする請求項２３記載の装置。
【請求項２５】
前記土台（１）が様々な間隔で相互に配置された前記２つの載置部（６、２５）用のブラケット（２〜５）を有することを特徴とする請求項１〜２４のいずれか１項に記載の装置。
【請求項２６】
前記土台（１）が前記２つの載置部（６、２５）および前記ガイド装置（２３）の配置を左右反転の配置に変更することができるように作られて配置されている少なくとも前記第１の載置部（６）用およびこの第１の載置部（６）に割り当てられている前記ガイド装置（２３）用のブラケット（２〜５）を有することを特徴とする請求項１〜２５のいずれか１項に記載の装置。
【請求項２７】
前記ガイド装置（２３）が最も低い位置から時計回りまたは反時計回りに上向きの弓を描写していることを特徴とする請求項１〜２６のいずれか１項に記載の装置。
【請求項２８】
前記２つの載置部（６、２５）および前記ガイド装置（２３）が取り付けられている水平な板を前記土台（１）が有することを特徴とする請求項１〜２７のいずれか１項に記載の装置。
【請求項２９】
前記ブラケット（２〜５）が前記土台（１）に配置された孔（２、３）および／またはピン（４、５）であることを特徴とする請求項２５〜２８のいずれか１項に記載の装置。
【請求項３０】
双方の間隔を変更するために移設できるように前記第１の載置部（６）および／または前記第２の載置部（２５）を固定する少なくとも１対の平行な長孔（３９）を前記土台（１）が有することを特徴とする請求項２８記載の装置。
【請求項３１】
前記第２の支持部（１２）が前記第１の支持部（１１）に接していることを特徴とする請求項１〜３０のいずれか１項に記載の装置。
【請求項３２】
前記ガイド装置（２３）上で回転するローラ（１９）が前記第１の載置部（６）特に前記第２の支持部（１２）に取り付けられていることを特徴とする請求項１〜３１のいずれか１項に記載の装置。
【請求項３３】
適切な打撃位置にゴルフボールを置くことができる打撃面が装備されていることを特徴とする請求項１〜３２のいずれか１項に記載の装置。
【請求項３４】
適切な打撃位置にゴルフボールを置くことができるティー用の支持装置が装備されていることを特徴とする請求項１〜３３のいずれか１項に記載の装置。
【発明の詳細な説明】
【技術分野】
【０００１】
本発明は、ゴルフスイング時における動作手順を練習するための装置に関する。
【背景技術】
【０００２】
特に打撃の練習といったゴルフスイングの練習時にゴルフトレーナーがゴルフプレーヤーを監督し、評価し、指導するのが一般的である。それにもかかわらずゴルフプレーヤーが１人で練習する場合、プレーヤーが気づくことなく動作手順において誤りが発生する。プレーヤーは誤った動作手順に慣れてしまい、こうした動作手順の癖を改めるのが困難になる。
【発明の概要】
【０００３】
本発明の課題は、トレーナーのいないゴルフスイング練習時において優れた動作手順に慣れるためにゴルフプレーヤーの負担を軽減する用具をゴルフプレーヤーが自由に使用することを可能にすることである。
【０００４】
本課題は、請求項１に記載されている特徴による装置によって解決される。本発明の好ましい実施例は従属請求項の対象である。
【０００５】
ゴルフスイングの練習を行なうための本発明に基づく装置は１つの土台およびこの土台において軸受けされている２つの載置部を有し、この上にゴルフプレーヤーが自分の足を載置する。第１の載置部はゴルフプレーヤーの第１の足用であり、第１の軸の周囲を旋回することができるように土台の上に軸受けしている。第１の載置部は前足を支持するための第１の支持部ならびに第１の足のかかとを支持するための第２の支持部を有する。第２の支持部は水平軸周りに旋回することが可能であり、その際少なくとも部分的に土台上に包囲しながら第１の垂直軸が配置されているガイド装置によって誘導および支持される。ガイド装置は第１の垂直軸の周囲において弓形に伸びており、最も低い位置からせり上がって作られている。さらに本発明に基づく装置は、ゴルフプレーヤーが第２の足を載置するための第２の載置部を有する。第２の載置部は土台自体または土台の一部となり、好ましくは土台とは別の部品である。
【０００６】
打撃時における動作手順を練習するために、ゴルフプレーヤーは自分の足を２つの載置部の上に載置し、ゴルフクラブを使用するかゴルフクラブを使用しないで素振りするかまたはゴルフボールを打つ。その際プレーヤーはゴルフボールの目標からそらした腰を目標の方向に旋回させなければならない。この動きと目標とは反対方向に向いている足のねじれとは関連しており、土台上に軸受けされた旋回可能な第１の載置部によってこうしたねじれにおける負担を軽減したり支援する。第１の載置部が旋回することによって同時に目標とは反対方向に向いている足のかかとを支持する第２の支持部が上昇するのは、最も低い位置からせり上がって作られているガイド装置において第２の支持部が動くからである。第２の支持部がガイド装置の最も低い位置から支持されるように装置が配置されているのは、ゴルフプレーヤーが基本位置または初期位置に位置している場合であり、この位置からゴルフプレーヤーはゴルフスイングを開始する。この基本位置または初期位置に２つの支持部が基本的に同じレベルで位置していなければならない。スイングする際にガイド装置によって誘導された２つの支持部はこれらの支持部の上にあるかかとを強制的に上げさせる。
【０００７】
これは以下に示した基本的な長所を有する：
・打つために有効となる動作手順を見つけ出すために、装置がゴルフプレーヤーを支持する。
・旋回可能な第１の載置部がゴルフプレーヤーの負担を軽減するのは、スイングする際に目標とは反対方向に向いている腰を目標の方向に旋回させるためである。
・第１の載置板を旋回する際に第２の支持部はこの支持部にある足のかかとを強制的に上げさせる。
・ガイド装置によって具現化されているのは、目標とは反対方向に向いている脚において人間工学的に有効となる動作手順について足からかかとにかけて設定されていることである。
・目標とは反対方向に向いている脚についての動作手順の常に同じ設定により、ガイド装置のあらかじめ設定された形でゴルフプレーヤーがいつも同じ動作手順に慣れるのを軽減させ、均等なプレイレベルにする。
・本装置はゴルフクラブを使用するかゴルフクラブを使用しない素振りをすることまたはボールを打つことにも適している。その際特に目標への正確で距離の長い打撃は、スイングに伴っていなければならない目標とは反対方向に向いている脚の重要となる踏み込みについて練習したり修正することが可能となる。
・本装置は打撃時および特に踏み込み時に使用する筋肉を鍛錬し、これらを増強させる。
・本装置はスポーツスタジオにある練習器具、ホテルのフィットネスルームと同様にゴルフ場の練習場において使用したり自宅で使用するのに適している。
【０００８】
ゴルフプレーヤーが目標の方向に向いた第２の足を載置する第２の載置部は、好ましくは土台の上において第２の垂直軸の周囲を旋回することができるように軸受けされている。この載置部は練習時にゴルフプレーヤーの脚および靭帯の負荷を軽減したり損傷させないようにするのに適しており、筋肉が硬直しないスムーズな動作手順にとって有用である。
【０００９】
好ましくは２つの載置部は、初期位置から旋回する場合に載置部が好ましくは自動的に採用する機械的にあらかじめ設定された初期位置を有する。初期位置においてゴルフプレーヤーの自然な位置と一致するように２つの載置部は配置されている。自然な位置において一般的に足の角度は０°〜３０°の範囲内である。２つの載置部の初期位置についても同様である。
【００１０】
載置部を初期位置に戻すためにばねが個々の載置部に割り当てられており、このばねは初期位置から載置部を旋回する際に緊張するため、ばねの緊張によって載置部を初期位置に戻す原因となる。ゴルフプレーヤーは練習時にばねを緊張させるために力を加えなければならず、練習の成果および筋肉形成は増大する。
【００１１】
第１の載置部が旋回可能となる第１の軸は、好ましくは第１の載置部の第１の支持部の下方に配置されている。これについては人間工学的に有効である。
【００１２】
旋回することができるように第１の載置部を軸受けおよび支持するために中空であるまたは中空でないジャーナルおよびジャーナルを支持するスリーブによる構造が考案される。ジャーナルが土台に取り付けられ、スリーブが第１の載置部の下側特に第１の載置部の第１の支持部の下側に取り付けられている。ジャーナルおよびスリーブは相互に噛み合っており、所望の旋回運動だけでなくゴルフプレーヤーの体重を装置の土台に誘導させることを可能にする。
【００１３】
たとえば載置部を初期位置から旋回させる場合に載置部と土台との間において、またはスリーブとジャーナルとの間において緊張するねじりばねを配置することによって第１の載置部を初期位置に戻すモーメントを発生させることが可能となる。別のとりわけ好ましい方法は、スリーブに取り付けられたボルトが噛み合っている溝をジャーナルに設けることまたはジャーナルに取り付けられたボルトと噛み合っている溝がスリーブに設けられていることである。初期位置から旋回する場合に第１の載置部が第１の支持部が下方に動くように選択した傾斜が設けられている。その際ジャーナルはスリーブにより深く落ち込む。スリーブにコイルばねを装備する場合にこのスリーブにジャーナルが作用して押し込むのは、このジャーナルがスリーブにより深く落ち込む時であり、その後第１の載置部が旋回する際にコイルばねは初期位置から押し込まれる。この時生じた復元力は、ゴルフスイングを完了した後に復元力に劣るや否やゴルフプレーヤーが第１の載置部を初期位置に戻すのに適している。
【００１４】
本発明の実施例によってとりわけ好ましく実現するのが長いばねの撓みを有する長いねじればねを使用することであるのは、ジャーナルが中空ジャーナルとして作られ、ねじればねを支持するためにこの中空ジャーナルの中空部を使用することができる場合であるためである。本発明の実施例における別の長所は、初期位置から第１の載置板を旋回する際に第１の支持部がねじればねの復元力に対して下方に動くことである。これによって第１の支持部とは対照的に第２の支持部が上昇するため、ガイド装置のみで上昇するという課題を克服する。同時にスイングを伴い、プレーヤーが目標とは反対方向に向いている個々の足によって生じる踏み込みは、下方に向いた打撃力によってプレーヤーの体の所望の回転運動を増大させるかまたは引き起こすのに適している。さらにこれによって旋回可能な第１の載置部の第２の支持部が上昇するのを助長する。第１の載置部の旋回運動およびその下方運動が踏み込み時に相互に関連している溝は、装置の練習成果にとってとりわけ重要なものとなる。
【００１５】
ゴルフプレーヤーがスイング時に目標とは反対方向に向いている足で踏み込む場合には、前足で行なわれる。したがって有効となるのは、第１の載置部の回転を可能にするジャーナルおよびスリーブが前足で支持する第１の支持部の下方にある場合に踏み込む力が溝およびこの溝に噛み合っているボルトから装置にできる限り直接的に誘導され、回転運動を作動および／または増大させることである。
【００１６】
溝の傾斜は好ましくは第１の載置部において１度あたり０．０１ｃｍから１度あたり０．０２５ｃｍの旋回角度であり、特に第１の載置部の旋回角度は１度あたりおよそ０．０２ｃｍである。これによって第１の支持部の降下はゴルフスイングの過程で最大２ｃｍとなる。
【００１７】
ジャーナルのスリーブへの落ち込みによって抵抗するばねが外側にも配置されるのは、ジャーナルを包囲し、スリーブの前方の終端部に衝突していることによるものである。スリーブが第１の載置部の下側に取り付けられている時、この場合にばねは装置のスリーブと土台との間で圧縮する。これとは対照的にスリーブが土台に取り付けられている場合、ばねはスリーブと第１の載置部の第１の支持部の下側との間で圧縮する。内側にあるばねは外側にあるばねとは対照的に好適である。
【００１８】
内側にあるばねは必ずしもコイルばねではない。コイルばねの代わりに幾層もの皿ばねを装備することも可能である。
【００１９】
好ましくは第１の載置部に２つの溝を相互に対置した傾斜が割り当てられ、ボルトが一方の溝または別の溝と噛み合っている。これについては載置部の旋回方向を変更することができるという長所がある。これについては１つの装置および同じ装置を右利きの人だけでなく左利きの人も使用することができるというのが前提である。
【００２０】
好ましくは初期位置から旋回した場合に第２の載置部を初期位置に戻す原因となる第２のばねを第２の載置部用にも装備することも可能である。この第２のばねは第２の載置部が旋回することが可能となる第２の軸を包囲している好ましくはねじればねである。第２のばねも第１の載置部と同じ方法で好ましいコイルばねを配置しているコイルばねである。
【００２１】
土台において第２の載置部が旋回できる軸受け用には第１の載置部が旋回できる軸受け用と同様に中空でないまたは中空であるジャーナルおよびこのジャーナルを支持するスリーブが装備されている。この場合にも好ましくはジャーナルまたはスリーブに装備されており、スリーブまたはジャーナルを装備したボルトと噛み合っている溝が設けられている。溝は第２の載置部の一定の位置を確保し、旋回運動を制限している。第１の載置部に割り当てられた溝が旋回時に載置部の初期位置から９０°の旋回角度で許容されるのと同時に、第２の溝が第２の載置部を許容する旋回角度は好ましくは基本的に小さくなり、好ましくは３０°以上ではない。第２の載置部用の溝は水平に伸びることが可能となり、初期位置から旋回する際に第２の載置部をほんの少し下方に押し込むように選択された傾斜を有することも可能である。これについて長所となるのは、ねじれによってだけでなくねじればねの圧縮によって第２の載置部に割り当てられた第２のばねの復元力が得られることと、ゴルフスイング時に第２の載置部に位置している足にもう一方の足のつま先を下げることが可能となることである。
【００２２】
第２の載置部に割り当てられている第２の溝の傾斜については第２の載置部の旋回角度が１度あたり０．００５ｃｍから１度あたり０．０１５ｃｍであり、特に１度あたり０．０１ｃｍが好適である。
【００２３】
装置の土台は、好ましくは様々な間隔で相互に配置されたブラケットを２つの載置部用に有する。これについて長所となるのは、載置部の間隔を様々な自然な姿勢に合わせることができることである。ブラケットにおいて主に問題となるのは、たとえば個々の載置部が旋回することのできるジャーナルを差し込むことが可能な孔についてである。載置部の間隔を変更することによって必要となるのは、載置部のうちの１つ、好ましくは第２の載置部を差し替えることのみである。
【００２４】
好ましくはガイド装置用にも装置の土台にブラケットを有する。ガイド装置用および２つの載置部用にブラケットは、所定の配置によって２つの載置部およびガイド装置を左右反転の配置に変更することができるように作られて配置されている。これについては１つの装置および同じ装置を右利きの人だけでなく左利きの人にも適しているという点で好適である。
【００２５】
装置の土台は、好ましくは２つの載置部およびガイド装置を第１の載置部用に取り付けられた水平な板である。重量を軽減するために板は窪みを有する。
【００２６】
第１の載置部の第１の支持部および第２の支持部は直接相互に接続している。好ましくは第２の支持部は直接第１の支持部に接している。これによって最も簡単に実現することが可能となるのは、第２の支持部が第１の支持部と同じ高さとなっている水平な初期位置からかかとを上げるために旋回することである。
【００２７】
第１の載置部、好ましくは第２の支持部にはガイド装置上で回転するローラが取り付けられている。これによって摩擦のない誘導を実現することが可能となる。
【００２８】
装置上での打撃を素振りだけでなく実際に行なうことができるように好ましくは打撃面が装置に装備され、適切な打撃位置にゴルフボールを置くことができる。これとは別にティー用の支持装置が装置に装備され、適切な打撃位置にゴルフボールを置くことができる。その際に硬いティーについて問題となることはなく、さらに練習場にあるマットにおいても使用されているようなたとえば高品質なエラストマーチューブ部品といった柔軟性のあるティーを使用することも可能である。
【００２９】
本発明の実施例については添付した図面に図示している。
【図面の簡単な説明】
【００３０】
【図１】初期位置において２つの載置部を有する斜視図での本発明に基づく装置について図示している。
【図２】初期位置から旋回している２つの載置部を有する装置について第１の斜視図で図示している。
【図３】初期位置から旋回している２つの載置部を有する装置について第２の斜視図で図示している。
【図４】詳細図として初期位置にある第２の載置部について斜視図で図示している。
【図５】初期位置にある第２の載置部について図４と同様に図示しているものの、初期位置から旋回している。
【図６】詳細図として初期位置にある第１の載置部について斜視図で図示している。
【図７】初期位置にある第１の載置部について斜視図で図示している。
【図８】初期位置にある第１の載置部について図６と同様に図示しているものの、初期位置から旋回している。
【図９】初期位置にある第１の載置部について図７と同様に図示しているものの、初期位置から旋回している。
【図１０】初期位置から旋回している第１の載置部について斜視図で図示しているものの、図９とは別の方向から見たものである。
【図１１】詳細図として取付板にあるガイド装置について斜視図で図示している。
【図１２】図１１と同じ図面にあるガイド装置について図示しており、中空のある１つのジャーナルを取付板に追加している。
【図１３】図１２の中空のあるジャーナルを支持するために下側に取り付けられたスリーブとともに詳細図として第１の載置部の第１の支持部について下方からの斜視図で図示している。
【図１４】詳細図としてねじればねおよび差し込み可能な２本のボルトと接続している図１３のスリーブについて斜視図で図示している。
【図１５】図１４のスリーブについて斜視図で図示している。
【図１６】装置の土台について斜視図で図示している。
【図１７】図４と同じ図にある装置の改良について図示している。
【図１８】図１６と同じ図にある装置の改良について図示している。
【発明を実施するための形態】
【００３１】
本装置全体については図１に図示している。この装置は土台１として平坦な板を有し、この板には２つの単一孔２、２列でそれぞれ５つの孔３、４つの単一ピン４および４列でそれぞれ５つのピン５が左右反転で配置されており、これについては図１６を参照すること。ピン４および５は中空でなく外ねじを有するかまたは中空で内ねじを有する。
【００３２】
第１の載置部６は第１の床板７の上に取り付けられており、この床板は２つのピン４を通すための２つの孔および１列でそれぞれ５つの孔５を通すための５つの孔を有する。２つのピン４およびピン５のうちの１つにおいてスクリュキャップ８がそれぞれ回転しており、このスクリュキャップにより第１の床板７を土台１に固定することが可能である。
【００３３】
土台１の孔２を介して第１の床板７上にスリーブ９が固定され、このスリーブは第１のジャーナル１０を支持し、このジャーナルは中空である。ジャーナル１０は第１の載置部６の下側に固定され、さらに第１の支持部１１に固定され、この支持部には水平軸１３で方向転換できるように第２の支持部１２が接している。
【００３４】
第１のスリーブ９と第１のジャーナル１０の相互作用については図６および図１２〜図１５において明らかである。第１のジャーナル１０は２つの溝１４を有し、この溝は向かい合って傾斜しながら概ね四分円弧で第１のジャーナル１０において伸びている。第１のスリーブ９は放射状に２つのねじ孔１５を有し、この孔においてそれぞれロック装置３４が回転しており、このロック装置には外ねじが装備され、ねじ孔１５を回転させるソケット３５を有する。ソケット３５にボルト１７が軸受けしており、このボルトはソケットから前方に突出しており、ハンドル１６によって弾力でソケット３５に戻り、ハンドル１６を回すことによって元の位置に固定することが可能となる。当該ねじ孔１５の間隙に２つの溝１４のうちの１つがある場合には第１のジャーナル１０を第１のスリーブ９に挿入する時にボルト１７をねじ留めするだけですむ。位置（第１の載置部６の初期位置）が２つの溝１４において同時にそれぞれボルト１７と噛み合うことのできる２つの溝１４の位置に放射状の２つのねじ孔１５の位置を合わせる。この位置については図６および図７において図示している。相互に向かい合っている２つの溝１４の傾斜によってこうした場合に第１の載置部６の旋回は不可能であり、第１の載置部６をその初期位置に固定する。この載置部６を旋回するためには、図６および図７で図示した２つのボルト１７のうちの１つをハンドル１６によって戻さなければならない。どのボルト１７を戻すのかについては、図６および図７において図示した初期位置から第１の載置部６を右向きまたは左向きに旋回させるかどうかに基づく。
【００３５】
図１４ではボルト１７を挿入している溝１４を有する第１のジャーナル１０について図示している。第２のボルト１７のハンドル１６についても図１４に図示しており、図１４では図示していない第２の溝の下側の終端部がどこにあるのかについて示しているのは、この終端部が第１のジャーナル１０において監督者と反対側にあるからである。第２のハンドル１６については隠れている溝の下側の終端部にある位置に図示しており、この位置から目に見える溝１４と同様に向かい側の方向および反対側に傾斜しながら上方に伸びている。
【００３６】
さらに中空である第１のジャーナル１０にねじればねとして作られた圧縮ばね１８を差し込んでいることについて図１４では図示しており、この圧縮ばねは中空であるジャーナル１０から幾分下方に突出している。圧縮ばね１８によってジャーナル１０は第１のスリーブ９に差し込まれており、スリーブ９から幾分突出しているのは図６において図示した通りである。
【００３７】
第１の載置部６のボルト１７を戻した後に初期位置から旋回する場合には、残りのボルト１７を溝１４に噛み合わせることによって、第１のジャーナル１０を第１のスリーブ９にねじ留めし、この時圧縮ばね１８を押し込む。第１の載置部６を取り外す場合に圧縮ばね１８は弛緩し、第１の載置部６は初期位置に戻る。
【００３８】
第２の支持部１２の下側には惰行するローラ１９が取り付けられ、その軸２０は第２の支持部１２の上側に対して平行に伸びており、水平軸１３に対して垂直に伸びている。このローラ１９はガイド装置２３の構成部品である弓形のガイドレール２１または２２上を走行する。ガイド装置２３は弓形で左右反転の同型のガイドレール２１および２２ならびにステイ２４によって構成されており、このステイとともにガイドレール２１および２２は第１の床板７上に固定されている。２つのガイドレール２１および２２はその終端部において相互に接続しており、ステイ２４の最も短い部分にある接続箇所において支持している。これらのガイドレールは角度がそれぞれ９０°以上で第１のスリーブ９の周囲に左右反転させて弓形に伸びている。その際第１の床板７との距離は別の終端部まで常に増大している。その結果として第１の載置部６がその初期位置（図１）から旋回する際に第２の支持部１２が前進しながら起立するのは、図２、図３、図８、図９および図１０で図示した通りである。同時に第１の支持部は土台１に対して幾分下方に動き、これによって第２の支持部１２の起立は第１の支持部１１に比べて増大する。
【００３９】
ガイドレール２１および２２ではなくステイ２４を敷設する場合、床板７には中空でない弓形の壁を起立させ、その上側の端部をガイドレールとして使用することも可能である。
【００４０】
土台１には第１の載置部６とともに第２の載置部２５があり、この第２の載置部２５は第１の載置部６とは異なり分割されていない。この第２の載置部２５は突起したストリップ２６で包囲された板によって作られている。第２の載置部２５から滑り落ちないようにストリップ２６は足を固定している。ストリップは第１の載置部６の第１の支持部１１にも装備することも可能である。第２の支持部１２にストリップはない。
【００４１】
第２の載置部２５の下側には第２のスリーブ２７が固定され、このスリーブは第２のジャーナル２８を支持し、このジャーナルは第２の床板２９に固定され、この第２の床板２９は土台１に固定されている。これにより第２の床板２９は第２のジャーナル２８の両側に１列で３つの孔を有し、これらの孔はそれぞれ５つのピン５（図１６）のうちの３つを支持している。２つのスクリュキャップ８によって第２の床板２９は土台１に固定される。ピン５の列の中央に位置する配置での第２の床板２９について図１では図示している。右または左にずらすことによって第２の載置部２５は第１の載置部６に接近するか、または第１の載置部６から遠ざかるために、プレーヤーの様々な姿勢に合わせることが可能となる。
【００４２】
図４および図５において詳細図で図示しているのは、第２のスリーブ２７によって支持していない第２のジャーナル２８の部分がコイルばねとして作られている、ねじればね３０によって包囲され、その上側の終端部が第２のスリーブ２７の縦溝３１にあり、（図４および図５に図示していない）その下側の終端部が第２の床板２９に固定されていることまたは第２のジャーナル２８の横孔に差し込まれていることである。図１および図４において図示した初期位置から第２の載置部２５を旋回する場合、ねじればね３０はねじれ、復元力を発生する。
【００４３】
図４および図５において図示しているように、第２のスリーブ２７には横から見てＶ字型の第２の溝３２が設けられ、その頂点は第２の溝３２の最も低い点になっている。この第２の溝３２には第２のボルト３３が噛み合っており、この第２のボルト３３は第２のジャーナル２８に伸びており、放射状の方向に広がっている。第２の溝３２の傾斜は第１の溝１４に比べて僅かである。したがって第２の載置部２５は旋回する際に第１の載置部６に比べて僅かな度合いで下方に動く。さらに第２の溝３２は第１の溝１４に比べて小さな円周角で広がっているため、第２の載置部２５が図１および図４に図示した初期位置から旋回可能となる旋回角度は第１の載置部６で可能となる旋回角度に比べて基本的に小さくなる。第２の溝３２の上昇する２つの筋が関連性のある溝を形成しているため、第２の載置部２５を考えられる２つの旋回方向に旋回することができる。
【００４４】
これ以外に水平に伸びるように第２の溝３２を作ることも可能である。この溝は第２の載置部２５の旋回角度を制限し、この場合に水平にのみ動くことができる。
【００４５】
図１に図示した構造は右利きのゴルフプレーヤーに適している。このゴルフプレーヤーは左足を第２の載置部２５に載置し、右側の足を第１の載置部６に載置する。左利きの人については双方の床板７および２９を取り外し、図１で図示した位置に対して左右反転で土台の左側に第１の床板７を移設し、図１で図示した位置とは左右反転で土台１の右側に第２の床板２９を移設する。これにより圧縮ばね１８は負荷抗力によって弛緩せずに負傷する原因となるため、好ましくはたとえば土台１の下側から第１のスリーブ９が直立している土台１にある孔２を通って圧縮ばね１８と噛み合っていて土台１に接続しているねじで固定する。
【００４６】
これ以外に特別な長所によって第１の床板６の部分に設けられたピン５を取り外した場合、中央にあるスクリュキャップ８の軸の周囲を旋回できるように床板７を板１に置き、２つの外側のスクリュキャップ８によっておよそ１８０°相互に回転する２つの位置を固定し、床板７が中央にあるスクリュキャップ８の軸の周囲をおよそ１８０°旋回するようにこれらの位置を変更することができる。第２の載置部２５とともに第２の床板２９は板１に左右反転させた配置に差し替え、これによって右利き用の配置から左利き用の配置にすることが可能である。
【００４７】
図１７に図示した装置の改良によってねじればね３０および縦溝３１がないという点で第１の実施例とは区別する。スリーブ２７は下方に長くなり、Ｖ字型の第２の溝３２は水平に伸びた第２の溝３２に置き換わっている。第２の溝３２の下方に配置され、第２のスリーブ２７に差し込まれている第３のボルト３６に復元ばね３７を巻き上げ、その脚部３７ａおよび３７ｂは第２の載置部２５に伸びており、その際交差している。復元ばねの一方の脚部３７ａは第２のボルト３３に接しており、もう一方の脚部３７ｂは第２のスリーブ２７に差し込まれている第４のボルト３８に接しており、第２のボルト３３に再度接近する要因となっているのは、プレーヤーがゴルフスイングを行なうことによって第２の載置部２５を旋回させ、その際復元ばね３７が緊張する時である。
【００４８】
図１８に図示した装置の改良によって板１に孔３およびピン５がなく、１対の平行な長孔３９に置き換わっているという点で第１の実施例と区別され、これにより継続的に第１の床板７および第２の床板２９を移設することが可能となる。縦孔３９に噛み合う固定ねじ８によって床板７および２９をそれぞれの位置に固定することができる。
【符号の説明】
【００４９】
１  土台、板
２  ２つの単一孔
３  ２列の孔
４  ４つの単一ピン
５  ４列のピン
６  第１の載置部
７  第１の床板
８  スクリュキャップ、固定ねじ
９  第１のスリーブ
１０  第１のジャーナル
１１  第１の支持部
１２  第２の支持部
１３  水平軸
１４  １０にある溝
１５  放射状のねじ孔
１６  ハンドル
１７  ボルト
１８  圧縮ばね
１９  ローラ
２０  １９にある軸
２１  ガイドレール
２２  ガイドレール
２３  ガイド装置
２４  ステイ
２５  第２の載置部
２６  ストリップ
２７  第２のスリーブ
２８  第２のジャーナル
２９  第２の床板
３０  ねじればね
３１  縦孔
３２  第２の溝
３３  第２のボルト
３４  ロック装置
３５  ソケット
３６  第３のボルト
３７  復元ばね
３７ａ  ３７の脚部
３７ｂ  ３７の脚部
３８  第４のボルト
３９  長孔
【図１】
0005436218.tif 000002
【図２】
0005436218.tif 000003
【図３】
0005436218.tif 000004
【図４】
0005436218.tif 000005
【図５】
0005436218.tif 000006
【図６】
0005436218.tif 000007
【図７】
0005436218.tif 000008
【図８】
0005436218.tif 000009
【図９】
0005436218.tif 000010
【図１０】
0005436218.tif 000011
【図１１】
0005436218.tif 000012
【図１２】
0005436218.tif 000013
【図１３】
0005436218.tif 000014
【図１４】
0005436218.tif 000015
【図１５】
0005436218.tif 000016
【図１６】
0005436218.tif 000017
【図１７】
0005436218.tif 000018
【図１８】
0005436218.tif 000019